(57)【要約】【課題】先端にフック部が設けられるワイヤロープを用いた玉掛け作業の作業効率を向上させる。【解決手段】ワイヤロープ２の先端に設けられるフック部３に着脱されるアタッチメント１００であって、フック部３の外周面に沿うような内周面を有してフック部３を受容する受容部１０１と、吊下物と連結される吊治具を取り付け可能な取付孔１２５を有する取付部１２０と、を備え、受容部１０１は、内周面がフック部３の外周面と接触するようにフック部３に装着可能である。【選択図】図２
2015193440.tif 000002
【特許請求の範囲】
【請求項１】
ワイヤロープの先端に設けられるフック部に着脱されるアタッチメントであって、
前記フック部の外周面に沿うような内周面を有して前記フック部を受容する受容部と、
吊下物と連結される吊治具を取り付け可能な取付孔を有する取付部と、を備え、
前記受容部は、内周面において前記フック部の外周面と接触するように前記フック部に装着可能であることを特徴とするアタッチメント。
【請求項２】
前記受容部の内周面は、前記フック部の外周面に沿うような球面状の凹面として形成されることを特徴とする請求項１に記載のアタッチメント。
【請求項３】
前記受容部と前記取付部とは、別体であって、吊下げ方向に対して垂直に設けられる取付部材によって連結可能に形成されることを特徴とする請求項１または２に記載のアタッチメント。
【請求項４】
前記フック部は、前記ワイヤロープと連結される軸部と、前記軸部の外径より大きな外径に形成される係止部と、を有し、
前記受容部は、前記係止部の外周面に沿うように形成される内周面と、内部への前記フック部における前記軸部の通過は許容し前記係止部の通過は規制する通過溝と、を有することを特徴とする請求項１から３のいずれか一つに記載のアタッチメント。
【請求項５】
前記受容部と前記取付部とを相対回転自在に連結する回動ピンをさらに備え、
前記受容部と前記取付部とが前記取付部材によって連結されていない状態において、前記受容部と前記取付部とは、前記回動ピンを軸に相対回転可能であることを特徴とする請求項４に記載のアタッチメント。
【発明の詳細な説明】
【技術分野】
【０００１】
本発明は、ワイヤロープの先端に取り付けられるアタッチメントに関するものである。
【背景技術】
【０００２】
特許文献１には、作業艇に固定されるドームと、固定金具によってワイヤロープに固定されてドーム内に傾動自在に収容されるフックと、を備え、フックが略球面状の凸面を有する略円盤であって、ドームが略球面状の凹面を有するフック装置が開示されている。
【先行技術文献】
【特許文献】
【０００３】
【特許文献１】特開２００５−２１２５３４号公報
【発明の概要】
【発明が解決しようとする課題】
【０００４】
特許文献１に開示のフック装置では、フック部としてワイヤロープに固定されるフックにおける球面状の凸面と、フック受け部として作業艇に固定されるドームにおける球面状の凹面と、が接触するようにフックとドームが連結して、ワイヤロープに吊下物を吊下げることができる。
【０００５】
このようなフック装置において、フック部とフック受け部とを連結するためには、フック部をフック受け部の凹面に沿うように対応した形状に形成する必要がある。言い換えれば、ワイヤロープに固定されるフック部は、フック部の凸面に沿った凹面を有するフック受け部以外の吊治具に対しては連結することができない。
【０００６】
このため、フック受け部を有していない吊下物を吊下げるためには、他の吊治具を用いる必要がある。他の吊治具を用いて吊下げを行う際には、ワイヤロープの先端に設けられるフック部を交換するか、別のワイヤロープを用いる必要がある。
【０００７】
しかしながら、これらの方法では、ワイヤロープの先端に設けられるフック部の交換やワイヤロープそのものの交換を必要とするため、玉掛け作業の作業効率が低下するおそれがある。
【０００８】
本発明は、上記の問題点に鑑みてなされたものであり、先端にフック部が設けられるワイヤロープを用いた玉掛け作業の作業効率を向上させることを目的とする。
【課題を解決するための手段】
【０００９】
本発明は、ワイヤロープの先端に設けられるフック部に着脱されるアタッチメントであって、前記フック部の外周面に沿うような内周面を有して前記フック部を受容する受容部と、吊下物と連結される吊治具を取り付け可能な取付孔を有する取付部と、を備え、前記受容部は、内周面において前記フック部の外周面と接触するように前記フック部に装着可能であることを特徴とする。
【発明の効果】
【００１０】
本発明によれば、ワイヤロープの先端に設けられるフック部に対して、吊下物と連結する吊治具を取り付け可能な取付孔を有する取付部が受容部を介して連結される。このため、アタッチメントを取り付けるだけで、取付部の取付孔を介して吊治具をワイヤロープの先端に取り付けることができる。したがって、フック部を先端に有するワイヤロープによって、フック部やワイヤロープそのものを交換しなくても、フック受け部が取り付けられない吊下物を吊下げることができるため、玉掛け作業の作業性を向上させることができる。
【図面の簡単な説明】
【００１１】
【図１】本発明の実施形態に係るアタッチメントが着脱されるフック装置を示す図である。
【図２】本発明の実施形態に係るアタッチメントをフック装置のフック部に装着した状態を示す正面図である。
【図３】本発明の実施形態に係るアタッチメントにおける受容部の斜視図である。
【図４】本発明の実施形態に係るアタッチメントにおける受容部の正面図である。
【図５】本発明の実施形態に係るアタッチメントにおける受容部の底面図である。
【図６】本発明の実施形態に係るアタッチメントにおける取付部の正面図である。
【図７】本発明の実施形態に係るアタッチメントをフック装置のフック部に装着した状態を示す平面図である。
【図８】本発明の実施形態に係るアタッチメントをフック装置のフック部に装着する際の状態を示す正面図である。
【発明を実施するための形態】
【００１２】
以下、図面を参照して、本発明の実施形態について説明する。
【００１３】
本発明の実施形態に係るアタッチメント１００は、吊下物４をワイヤロープ２の先端に連結するいわゆる玉掛け作業に用いられるフック装置１におけるフック部３に対して取り付けられるものである。
【００１４】
まず、図１を参照して、本発明の実施形態に係るアタッチメント１００が取り付けられるフック装置１について説明する。
【００１５】
図１に示すように、フック装置１は、ワイヤロープ２の先端に設けられるフック部３と、吊下物４に連結されフック部３を収容するフック受け部５と、を備える。図１では、フック受け部５のみを断面で示している。
【００１６】
フック部３は、ワイヤロープ２が挿入される軸部３Ａと、軸部３Ａの外径より大きな外径を有する円盤状部材として形成され、球面状（半球状）の外周面を上部に有する係止部としての球面部３Ｂと、を有する。フック部３は、軸部３Ａがワイヤロープ２に圧着されることによってワイヤロープ２に固定される。
【００１７】
フック受け部５は、中空のドーム状部材として形成され吊下物４に固定される。フック受け部５の内側には、フック部３における球面部３Ｂの球面に沿う湾曲部６が形成される。また、フック受け部５の頂部には、フック部３の軸部３Ａとの間に所定の隙間が形成されると共にフック部３の球面部３Ｂは通過できない大きさの貫通孔７が設けられる。また、フック受け部５の側部には、フック部３の軸部３Ａ及び球面部３Ｂがそれぞれ通過可能な通過口８が設けられる。通過口８は、フック受け部５の内部及び貫通孔７と連通する。このため、ワイヤロープ２の先端に設けられるフック部３を、通過口８を通じてフック受け部５の内部に収容することができる。
【００１８】
ワイヤロープ２の先端に吊下物４を吊下げる際には、まず通過口８を通じてフック部３をフック受け部５の内部へと収容し、ワイヤロープ２を巻回してフック部３を上方へ引き上げる。フック部３を上方へ引き上げることにより、フック部３の球面部３Ｂとフック受け部５の湾曲部６とが係止してフック部３とフック受け部５とが連結される。この状態からさらにワイヤロープ２を巻回することによって、吊下物４をワイヤロープ２に吊下げることができる。
【００１９】
このように、フック部３とフック受け部５とが球面で接触することにより、安定した姿勢でフック部３とフック受け部５とを連結することができる。
【００２０】
フック部３とフック受け部５との連結を解除する場合には、ワイヤロープ２を巻き降ろして張力が作用していない弛んだ状態にする。このような状態にすることにより、通過口８を通じてフック受け部５の内部に収容されたフック部３を取り外すことができる。
【００２１】
アタッチメント１００は、このようなフック装置１におけるフック部３に対して着脱される。
【００２２】
図２に示すように、アタッチメント１００は、フック部３を受容する受容部１０１と、フック受け部５を有していない吊下物（以下、「他の吊下物」と称する。）を吊下げ可能な取付部１２０と、を備える。
【００２３】
図３は受容部１０１の斜視図、図４は受容部１０１の正面図、図５は受容部１０１の底面図を示す。図３〜図５に示すように、受容部１０１は、互いに略平行な二面幅形状に形成される側面１０２，１０３と、側面１０２，１０３と略直交し互いに略平行に設けられる頂面１０４及び底面１０５と、頂面１０４から底面１０５にかけて凸状に湾曲する二つの湾曲面１０６，１０７と、を有する。
【００２４】
図４及び図５に示すように、受容部１０１は、フック部３の外周面に沿うように内周面が形成される凹部１１０を有する。つまり、凹部１１０の内周面は、フック部３における球面部３Ｂの外周面に沿うような球面状の凹面１１１として形成される。凹部１１０は、受容部１０１の側面１０２，１０３及び底面１０５に開口する開口部１１２を有する。開口部１１２は、フック部３の球面部３Ｂが通過できる大きさに形成され、開口部１１２を通じた凹部１１０内に対する球面部３Ｂの通過を許容する。
【００２５】
受容部１０１における頂面１０４の中央には、凹部１１０と連通する中央孔１１３が形成される。中央孔１１３は、フック部３の軸部３Ａとの間に所定の隙間が形成されると共にフック部３の球面部３Ｂは通過できない大きさに形成される。
【００２６】
図３及び図５に示すように、受容部１０１には、一方の湾曲面１０６を二つの領域に隔てるように直線状に延在し、凹部１１０及び中央孔１１３と連通する通過溝１１４が形成される。通過溝１１４は、頂面１０４及び底面１０５に開口して受容部１０１を貫通するように形成される。このように通過溝１１４が形成されることによって、一方の湾曲面１０６側の受容部１０１は、第一側部１０８Ａと第二側部１０８Ｂとに分割される。
【００２７】
通過溝１１４は、フック部３における軸部３Ａの通過は許容すると共にフック部３における球面部３Ｂの通過は規制する幅に形成される。このため、フック部３の軸部３Ａは、ワイヤロープ２と共に受容部１０１の側方から通過溝１１４を通過して凹部１１０及び中央孔１１３へ進入することができる。つまり、ワイヤロープ２及びフック部３の軸部３Ａは、第一側部１０８Ａと第二側部１０８Ｂとの間を通過して、凹部１１０及び中央孔１１３へ進入する。
【００２８】
図５に示すように、第一側部１０８Ａには、通過溝１１４と連通するように第一側部１０８Ａを貫通する第一挿通孔１１６が設けられる。第二側部１０８Ｂには、通過溝１１４と連通するように第二側部１０８Ｂを貫通し、第一挿通孔１１６と同軸状に形成される第二挿通孔１１７が設けられる。また、第一挿通孔１１６及び第二挿通孔１１７は、後述する取付ボルト１３０が挿通可能な大きさに形成される。つまり、第一挿通孔１１６と第二挿通孔１１７とは、通過溝１１４を介して連通し、取付ボルト１３０が第一挿通孔１１６と第二挿通孔１１７にわたって挿通できるように形成される。
【００２９】
第一挿通孔１１６及び第二挿通孔１１７は、吊下物４や他の吊下物をワイヤロープ２に吊下げて上げ下ろしする方向（以下、「吊下げ方向」と称する。）に対して略垂直方向に形成される（図２参照）。つまり、アタッチメント１００をフック部３に装着して他の吊下物を吊下げた状態において、第一挿通孔１１６及び第二挿通孔１１７は、吊下げ方向である鉛直方向に対して、略水平方向に延びるように形成される。
【００３０】
受容部１０１には、他方の湾曲面１０７を二つの領域に隔てるように延在する収容溝１１５が形成される（図３及び図５参照）。収容溝１１５は、底面１０５及び他方の湾曲面１０７に開口し、後述する取付部１２０の一部が収容される。このように収容溝１１５が形成されることによって、他方の湾曲面１０７側の受容部１０１は、第三側部１０９Ａと第四側部１０９Ｂとに分割される。
【００３１】
第三側部１０９Ａには、収容溝１１５と連通するように第三側部１０９Ａを貫通する第三挿通孔１１８が設けられる。第四側部１０９Ｂには、収容溝１１５と連通するように第四側部１０９Ｂを貫通し、第三挿通孔１１８と同軸状に形成される第四挿通孔１１９が設けられる。また、第三挿通孔１１８と第四挿通孔１１９は、後述する回動ピン１３１が挿通可能な大きさに形成される。つまり、第三挿通孔１１８と第四挿通孔１１９とは、収容溝１１５を介して連通し、回動ピン１３１が第三挿通孔１１８と第四挿通孔１１９にわたって挿通できるように形成される。
【００３２】
また、第三挿通孔１１８及び第四挿通孔１１９は、吊下げ方向に対して略垂直方向であって、第一挿通孔１１６及び第二挿通孔１１７と略平行に形成される。
【００３３】
取付部１２０は、受容部１０１とは別体であって、図６に示すように、略三角形状の板部材として形成される。取付部１２０の頂点部分のうちの二箇所には、受容部１０１の通過溝１１４及び収容溝１１５にそれぞれ収容される取付フランジ１２１，１２２が形成される。一方の取付フランジ１２１には、取付ボルト１３０が挿通可能な第五挿通孔１２３が形成される。他方の取付フランジ１２２には、回動ピン１３１が挿通可能な第六挿通孔１２４が形成される。
【００３４】
取付部１２０には、他の吊下物と連結するためのスリングやシャックルといった吊治具が取り付け可能な取付孔１２５が形成される。このため、取付部１２０は、取付孔１２５によって、他の吊下物を吊下げることができる。取付孔１２５は、使用する吊治具に合わせて任意の形状に形成することができる。
【００３５】
図７に示すように、受容部１０１と取付部１２０とは、受容部１０１の第一挿通孔１１６、第二挿通孔１１７及び取付部１２０の第五挿通孔１２３を挿通する取付部材としての取付ボルト１３０と、受容部１０１の第三挿通孔１１８、第四挿通孔１１９、及び取付部１２０の第六挿通孔１２４を挿通する回動ピン１３１と、によって連結される。
【００３６】
取付ボルト１３０は、全長の一部にねじが形成される半ねじの六角ボルトである。取付ボルト１３０は、受容部１０１の第一挿通孔１１６、第二挿通孔１１７及び取付部１２０の第五挿通孔１２３を挿通し、ナット１３２によって受容部１０１に対して締結される。
【００３７】
回動ピン１３１は、取付ボルト１３０と同様に全長の一部にねじが形成される半ねじのボルトであり、受容部１０１の第三挿通孔１１８、第四挿通孔１１９、及び取付部１２０の第六挿通孔１２４を挿通し、ナット１３３によって受容部１０１に対して締結される。
【００３８】
回動ピン１３１と取付部１２０の第六挿通孔１２４との間には、隙間が設けられる。このため、受容部１０１と取付部１２０とが取付ボルト１３０によって連結されていない状態において、受容部１０１と取付部１２０とは回動ピン１３１を軸に相対回転することができる。
【００３９】
回動ピン１３１は、ナット１３３によって締結される半ねじのボルトでなくてもよく、受容部１０１と取付部１２０とを相対回転可能に連結するものであれば、その他のものであってもよい。また、ナット１３２，１３３は、Ｕナットなどの緩み止めナットであってもよい。図２及び図８においては、取付ボルト１３０及び回動ピン１３１におけるボルトの頭の図示を省略している。
【００４０】
次に、アタッチメント１００をフック部３に着脱する方法について説明する。
【００４１】
アタッチメント１００をワイヤロープ２の先端のフック部３に取り付ける前は、受容部１０１と取付部１２０とは、取付ボルト１３０によっては連結されず、回動ピン１３１のみによって連結される。したがって、この状態においては、受容部１０１と取付部１２０とは回動ピン１３１を軸に相対回転することができる。
【００４２】
アタッチメント１００を取り付ける際は、図８中二点鎖線で示すように、まず受容部１０１の凹部１１０の下方にフック部３が位置するように、受容部１０１の上方のワイヤロープ２及びフック部３の軸部３Ａを受容部１０１の通過溝１１４（図５参照）を通過させて中央孔１１３内に収容する。その後、アタッチメント１００を下方へ移動し、図８中実線で示すように凹部１１０の開口部１１２を通じてフック部３を凹部１１０内に収容して、フック部３の球面部３Ｂの外周面と受容部１０１の凹部１１０における球面状の凹面１１１とを接触させる。
【００４３】
その後、回動ピン１３１を軸として取付部１２０を回転させ、取付部１２０の第五挿通孔１２３と受容部１０１の第一挿通孔１１６及び第二挿通孔１１７との位置を合わせて、取付ボルト１３０を挿通する。ナット１３２により取付ボルト１３０を受容部１０１に締め付けることによって、受容部１０１と取付部１２０とが取付ボルト１３０により連結されて、フック部３にアタッチメント１００を取り付けることができる。
【００４４】
アタッチメント１００を取り外す際には、取付ボルト１３０とナット１３２とを緩めて、取付ボルト１３０を第一挿通孔１１６、第二挿通孔１１７及び第五挿通孔１２３から抜き取り、取付部１２０を回転させる。取付部１２０を回転させることにより、凹部１１０の下方が空くため、フック部３を下方から取り出すことができる。
【００４５】
このように、アタッチメント１００は、ワイヤロープ２の先端に設けられるフック部３に対して着脱される。また、アタッチメント１００をフック部３に取り付ける前の状態において、必ずしも回動ピン１３１によって受容部１０１と取付部１２０とを連結しておく必要はない。まず、受容部１０１のみをフック部３に被せるように取り付けて、その後に取付部１２０を受容部１０１に取り付けるようにしてもよい。この場合は、回動ピン１３１によって受容部１０１と取付部１２０とを連結する必要はなく、受容部１０１と取付部１２０との相対回転を許容しないボルト等によって連結してもよい。
【００４６】
アタッチメント１００の取付部１２０には、他の吊下物と連結するための吊治具を取り付け可能な取付孔１２５が形成されるため、取付孔１２５に例えばＪ型フックと連結するスリングやシャックルを通すことにより、フック受け部５を有していない他の吊下物であっても、先端にフック部３が設けられるワイヤロープ２によって吊下げることができる。
【００４７】
言い換えれば、先端にフック部３が設けられるワイヤロープ２によって、アタッチメント１００を利用しないでフック受け部５を有する吊下物４を吊下げることも可能であり、かつ、アタッチメント１００を利用してフック受け部５を有していない他の吊下物を吊下げることも可能となる。
【００４８】
このため、フック受け部５が取り付けられる吊下物４とは異なる他の吊下物を吊下げる場合であっても、フック部３の交換やワイヤロープ２そのものを交換する必要がなく、玉掛け作業の作業効率を向上させることができる。
【００４９】
以上の実施形態によれば、以下に示す効果を奏する。
【００５０】
アタッチメント１００によれば、ワイヤロープ２の先端に設けられるフック部３に対して、他の吊下物と連結する吊治具を取り付け可能な取付孔１２５を有する取付部１２０が受容部１０１を介して連結される。このため、フック部３にアタッチメント１００を取り付けるだけで、取付部１２０の取付孔１２５を介して吊治具をワイヤロープ２の先端に取り付けることができる。したがって、フック部３を先端に有するワイヤロープ２によって、フック部３やワイヤロープ２そのものを交換しなくても、フック受け部５が取り付けられない他の吊下物を吊下げることができるため、玉掛け作業の作業性を向上させることができる。
【００５１】
また、アタッチメント１００の受容部１０１と取付部１２０とは、吊下げ方向に対して略水平方向に設けられる取付ボルト１３０によって連結される。したがって、取付ボルト１３０は、吊下物の自重により吊下げ方向に作用する荷重をせん断方向で受けることができるため、ねじの緩みを防止することができる。このため、受容部１０１と取付部１２０との連結強度を向上させることができる。
【００５２】
また、受容部１０１と取付部１２０とは、回動ピン１３１によって相対回転可能に連結され、受容部１０１には、フック部３における軸部３Ａの通過を許容する通過溝１１４が形成される。このため、ワイヤロープ２及びフック部３の軸部３Ａを受容部１０１の通過溝１１４を通過させ、受容部１０１を球面部３Ｂに被せるように装着し、取付部１２０を回転させて受容部１０１と連結することにより、アタッチメント１００をフック部３に取り付けることができる。このように、受容部１０１と取付部１２０とを相対回転可能に連結し、受容部１０１に通過溝１１４を形成することにより、アタッチメント１００を容易に取り付けることができる。
【００５３】
上記実施形態では、フック部３は係止部として球面状の球面部３Ｂを有するいわゆるボールフックとして形成され、アタッチメント１００の受容部１０１は、フック部３の球面部３Ｂに沿うような凹面１１１を有するものであった。このようなフック部３を備えるフック装置１は、比較的軽量であると共に球面で接触することにより安定した姿勢で吊下物を吊下げることができるため、例えば母船から作業艇を上げ下ろしする揚艇装置に用いられる。これに代えて、フック部３における係止部の外周が球面状以外の形状に形成される場合には、その形状に沿うように受容部１０１の凹面１１１を形成すればよい。
【００５４】
また、上記実施形態では、受容部１０１と取付部１２０が別体であって、受容部１０１の下方に取付部１２０が相対回転自在に連結するものであった。取り付け性を考慮すると、アタッチメント１００は軽量であることが望まれるため、受容部１０１と取付部１２０とは別体であることが好ましいが、受容部１０１と取付部１２０とが一体として形成されてもよい。
【００５５】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００５６】
１    フック装置
２    ワイヤロープ
３    フック部
３Ｂ  球面部（係止部）
５    フック受け部
１００    アタッチメント
１０１    受容部
１１１    凹面
１１４    通過溝
１１５    収容溝
１２０    取付部
１２５    取付孔
１３０    取付ボルト
１３１    回動ピン
【図１】
2015193440.tif 000003
【図２】
2015193440.tif 000004
【図３】
2015193440.tif 000005
【図４】
2015193440.tif 000006
【図５】
2015193440.tif 000007
【図６】
2015193440.tif 000008
【図７】
2015193440.tif 000009
【図８】
2015193440.tif 000010